(57)【要約】【課題】小さい子供が安定した状態で鉄道車両の座席に座ることができるとともに、設置や収納を容易に行うことができる鉄道車両の小児用着座補助装置を提供する。【解決手段】鉄道車両の座席２に設けられる鉄道車両の小児用着座補助装置１Ａにおいて、座席２の座面２１の上側かつ座席２の背もたれ２２の前側に設置可能な着座補助部３Ａと、座面２１の下方または背もたれ２２の後方に設けられて着座補助部３Ａを収納可能な収納部４Ａと、着座補助部３Ａを座面２１の上側かつ背もたれ２２の前側と収納部４Ａとの間において移動可能とする移動機構５Ａと、を備え、着座補助部３Ａが座面２１の上側かつ背もたれ２２の前側に設置された状態において、座面２１のうちの着座補助部３Ａの前側に着座可能に構成されている。【選択図】図２
2015166203.tif 000002
【特許請求の範囲】
【請求項１】
鉄道車両の座席に設けられる鉄道車両の小児用着座補助装置において、
前記座席の座面の上側かつ前記座席の背もたれの前側に設置可能な着座補助部と、
前記座面の下方または前記背もたれの後方に設けられて前記着座補助部を収納可能な収納部と、
前記着座補助部を前記座面の上側かつ前記背もたれの前側と前記収納部との間において移動可能とする移動機構と、を備え、
前記着座補助部が前記座面の上側かつ前記背もたれの前側に設置された状態において、前記座面のうちの前記着座補助部の前側、または前記着座補助部の上面に着座可能に構成されていることを特徴とする鉄道車両の小児用着座補助装置。
【請求項２】
前記座席が設けられた床面から前記座面までの間に、前記座席の脚部から前方に突出するように設置可能であるとともに、前記座面の下方に収納可能な足置き部を更に備えることを特徴とする請求項１に記載の鉄道車両の小児用着座補助装置。
【請求項３】
前記移動機構は、前記着座補助部を段階的に移動させ、各段階において前記着座補助部の位置を固定可能であることを特徴とする請求項１又は２に記載の鉄道車両の小児用着座補助装置。
【発明の詳細な説明】
【技術分野】
【０００１】
本発明は、鉄道車両の座席に設けられる小児用着座補助装置に関する。
【背景技術】
【０００２】
従来、鉄道車両の多くには大人を対象とした座席しかなく、このような座席に体格の小さい子供が座ると、足が床面まで届かないとともに、背中が背もたれと離れてしまい、不安定な状態となる。このような状態で車両が減速したり加速したりすると小さな子供が転倒する虞があるため、通常、小さな子供は大人の膝の上に座らせている。これに対し小さな子供が一人で鉄道車両の座席に座ることができるようにした、鉄道車両用のチャイルドシートが知られている（例えば、特許文献１参照）。
【先行技術文献】
【特許文献】
【０００３】
【特許文献１】特開２０１３−０４９２９５号公報
【発明の概要】
【発明が解決しようとする課題】
【０００４】
しかしながら、特許文献１に開示されたような鉄道車両用のチャイルドシートは、使用するときに座席の上に設置し、使用しないときには折り畳んで座席から取り外すため、使用しないときの保管場所が必要となる。また、鉄道車両用のチャイルドシートを使用するときには保管場所から運んできて設置し、使用しないときには保管場所へ運んで収納するため、鉄道車両用のチャイルドシートの設置や収納に手間がかかるという問題がある。
【０００５】
そこで、本発明は、小さい子供が安定した状態で鉄道車両の座席に座ることができるとともに、設置や収納を容易に行うことができる鉄道車両の小児用着座補助装置を提供することを目的とする。
【課題を解決するための手段】
【０００６】
上記目的を達成するため、本発明に係る鉄道車両の小児用着座補助装置は、鉄道車両の座席に設けられる鉄道車両の小児用着座補助装置において、前記座席の座面の上側かつ前記座席の背もたれの前側に設置可能な着座補助部と、前記座面の下方または前記背もたれの後方に設けられて前記着座補助部を収納可能な収納部と、前記着座補助部を前記座席の座面の上側かつ前記座席の背もたれの前側と前記収納部との間において移動可能とする移動機構と、を備え、前記着座補助部が前記座席の座面の上側かつ前記座席の背もたれの前側に設置された状態において、前記座面のうちの前記着座補助部の前側、または前記着座補助部の上面に着座可能に構成されていることを特徴とする。
【０００７】
本発明では、座席の座面の上側かつ座席の背もたれの前側に着座補助部が設置された状態において、着座補助部の前側に着座した子供が、その背中を着座補助部と当接させることができるため、着座補助部を背もたれとして使用することができる。
また、座席の座面の上側かつ座席の背もたれの前側に着座補助部が設置された状態において、前記座面の高さが前記背もたれの高さの中間部に位置していると、着座補助部の上面に着座した子供が、その背中を背もたれと当接させることができるため、背もたれを使用することができる。
これにより、子供が背中を背もたれに当接させた状態で着座することができるため、安定した状態で鉄道車両の座席に座ることができる。
【０００８】
更に、座面の上側かつ背もたれの前側に着座補助部が設置された状態において、着座補助部の上面に着座した子供が、足を座面に置くことができるため、より安定した状態で鉄道車両の座席に座ることができる。
また、着座補助部が座面の下方または背もたれの後方の収納部に収納可能であり、移動機構によって着座補助部が座面の上側かつ背もたれの前側と収納部との間において移動可能に支持されているため、従来のように不使用時に着座補助部を取り外して座席と離れた場所に収納する場合と比べて、着座補助部の設置と収納を容易に行うことができる。
【０００９】
また、本発明に係る鉄道車両の小児用着座補助装置では、前記座席が設けられた床面から前記座面までの間に、前記座席の脚部から前方に突出するように設置可能であるとともに、前記座面の下方に収納可能な足置き部を更に備える構成としてもよい。
このような構成とすることにより、着座補助部の前側に着座した子供が、足を足置き部に置くことができるため、より安定した状態で鉄道車両の座席に座ることができる。
また、足置き部は、座面の下方に収納可能であることにより、足置き部の設置と収納を容易に行うことができる。
【００１０】
また、本発明に係る鉄道車両の小児用着座補助装置では、前記移動機構は、前記着座補助部を段階的に移動させ、各段階において前記着座補助部の位置を固定可能であることが好ましい。
このような構成とすることにより、着座する子供の体格に合わせて着座補助部の背もたれとなる部分または座面となる部分の位置を調整することができ、安定した状態で着座することができる。
【発明の効果】
【００１１】
本発明によれば、座席の座面の上側かつ座席の背もたれの前側に着座補助部が設置された状態において、着座補助部の前側に着座した子供が、その背中を着座補助部と当接させることができるため、着座補助部を背もたれとして使用することができる。
また、座面の上側かつ背もたれの前側に着座補助部が設置された状態において、前記座面の高さが前記背もたれの高さの中間部に位置していると、着座補助部の上面に着座した子供が、その背中を背もたれと当接させることができるため、背もたれを使用することができる。
これにより、子供が背中を背もたれに当接させた状態で着座することができるため、安定した状態で鉄道車両の座席に座ることができる。
【００１２】
更に、座面の上側かつ背もたれの前側に着座補助部が設置された状態において、着座補助部の上面に着座した子供が、足を座面に置くことができるため、より安定した状態で鉄道車両の座席に座ることができる。
また、着座補助部が座面の下方または背もたれの後方の収納部に収納可能であり、移動機構によって着座補助部が座面の上側かつ背もたれの前側と収納部との間において移動可能に支持されているため、従来のように不使用時に着座補助部を取り外して座席と離れた場所に収納する場合と比べて、着座補助部の設置と収納を容易に行うことができる。
【図面の簡単な説明】
【００１３】
【図１】（ａ）は本発明の第１実施形態による収納時の小児用着座補助装置の平面図、（ｂ）は断面図である。
【図２】（ａ）は本発明の第１実施形態による使用時の小児用着座補助装置の平面図、（ｂ）は断面図である。
【図３】（ａ）は本発明の第２実施形態による収納時の小児用着座補助装置の平面図、（ｂ）は断面図である。
【図４】（ａ）は本発明の第２実施形態による使用時の小児用着座補助装置の平面図、（ｂ）は断面図である。
【図５】（ａ）は本発明の第３実施形態による収納時の小児用着座補助装置の平面図、（ｂ）は断面図である。
【図６】（ａ）は本発明の第３実施形態による使用時の小児用着座補助装置の平面図、（ｂ）は断面図である。
【図７】（ａ）は本発明の第４実施形態による収納時の小児用着座補助装置の平面図、（ｂ）は断面図である。
【図８】（ａ）は本発明の第４実施形態による使用時の小児用着座補助装置の平面図、（ｂ）は断面図である。
【発明を実施するための形態】
【００１４】
（第１実施形態）
以下、本発明の第１実施形態による鉄道車両の小児用着座補助装置１Ａについて、図１および図２に基づいて説明する。
図１および図２に示すように、第１実施形態による鉄道車両の小児用着座補助装置（以下、小児用着座補助装置とする）１Ａは、鉄道車両のロングシート（縦座席、以下、座席２とする）に設けられていて、体格の小さな子供１１（図２（ｂ）参照）が座席２に着座する際に使用される。
ここで、座席２に使用者（乗客）が着座した際に、使用者が向く方を前側、前方とし、使用者の背中側を後側、後方として以下説明する。また、この前後方向に直交する水平方向を幅方向として以下説明する。
【００１５】
第１実施形態による小児用着座補助装置１Ａは、座席２の座面２１の上側かつ座席２の背もたれ２２の前側（以下、座席２側とする）に設置可能な着座補助部３Ａと、背もたれ２２の後方に設けられて着座補助部３Ａを収納可能な収納部４Ａと、着座補助部３Ａを座席２側と収納部４Ａとの間をスライドさせる移動機構５Ａ（図１（ｂ）、図２（ｂ）参照）と、座席２側に設置された着座補助部３Ａの移動を拘束可能なロック機構６Ａ（図１（ｂ）、図２（ｂ）参照）と、座面２１の下方に設けられた足置き部７Ａと、を備えている。
【００１６】
着座補助部３Ａは、両側面にそれぞれ設けられた一対の側板３１，３１と、一対の側板３１，３１の前端部どうしを連結するように設けられた前板３２と、一対の側板３１，３１の上端部どうしを連結するように設けられた上板３３と、を有している。
図１（ｂ）に示すように、着座補助部３Ａは、収納部４Ａに収納されると、前板３２の前面３２ａの前後方向の位置が、背もたれ２２の前面２２ａと略同じ位置となるように構成されている。
また、図２（ｂ）に示すように、着座補助部３Ａは、座席２側に設置されると、前板３２の前面３２ａの前後方向の位置が、背もたれ２２の前面２２ａと座面の２１の前端部２１ａとの間の位置となるとともに、上板３３の上面３３ａの高さが、背もたれ２２の高さの中間部の高さとなるように構成されている。
【００１７】
このような着座補助部３Ａは、その幅が着座する使用者１人に対応する幅に形成されている。
また、図１および図２に示すように、着座補助部３Ａの前板３２には、着座補助部３Ａを収納部４Ａと座席２側との間を移動させる際に使用者が把持する把持部３４Ａが設けられている。把持部３４Ａは、例えば、布製や革製のベルトなどで、幅方向の両端部が前板３２に連結されている。
【００１８】
収納部４Ａは、背もたれ２２の後方の空間に形成されていて、背もたれ２２の後方へスライドした着座補助部３Ａを収納可能に構成されている。
図１（ｂ）および図２（ｂ）に示す移動機構５Ａは、着座補助部３Ａの座席２側と収納部４Ａとの移動をガイドするレールなどで構成されている。
ロック機構６Ａは、着座補助部３Ａの移動を拘束するロック本体（不図示）と、ロック本体による着座補助部３Ａの移動の拘束を解除する解除ボタン（不図示）と、を有している。解除ボタンは、車両の壁面や、座席２の下部などに設けられていて、子供１１（図２（ｂ）参照）が容易に触ることができない位置に設けられている。
【００１９】
また、第１実施形態では、移動機構５Ａは、着座補助部３Ａを前後方向に段階的に移動可能に構成されている。そして、ロック機構６Ａは、段階的に移動する着座補助部３Ａを、各段階においてその移動を拘束可能に構成されている。
【００２０】
図１および図２に示すように、足置き部７Ａは、少なくとも一部が座席２の脚部２３の前端部２３ａ（図１（ｂ）および図２（ｂ）参照）よりも前方へ突出するように設置可能で座面２１に着座した子供１１（図２（ｂ）参照）が足を置く足置き本体７１Ａと、足置き本体７１Ａを支持する支持部７２Ａとを備えている。
図１（ｂ）および図２（ｂ）に示すように、足置き本体７１Ａは、幅方向に延在し断面形状が略Ｌ字状の部材で、略Ｌ字を形成するように略直交した２つの板材７１ａ，７１ｂのうち、一方の板材７１ａに子供１１が足を置くように構成されている。ここで、この一方の板材７１ａを、足置き板材７１ａとする。
また、２つの板材７１ａ，７１ｂのうち、他方の板材７１ｂは、足置き板材７１ａが連続している側の端部と反対側の端部７１ｃが、支持部７２Ａに、幅方向に延在する軸を中心として回動可能に支持されている。なお、この端部７１ｃは、座席２の脚部２３の前端部２３ａ近傍に配置されている。ここで、他方の板材７１ｂを、支持部側板材７１ｂとする。
【００２１】
このように、支持部７２Ａに支持された足置き本体７１Ａは、軸を中心に回動することにより、図２（ｂ）に示すような足置き板材７１ａがその面が上下方向を向き、支持部側板材７１ｂがその面が前後方向を向く使用状態と、図１（ｂ）に示すような足置き板材７１ａがその面が前後方向を向き、支持部側板材７１ｂがその面が上下方向を向く収納状態と、に切り替え可能に構成されている。
そして、足置き本体７１Ａは、使用状態において支持部側板材７１ｂが座面２１の下方に位置するとともに足置き板材７１ａが脚部２３の前端部２３ａよりも前側に突出し、収納状態において足置き板材７１ａおよび支持部側板材７１ｂが座面２１の下方に位置するように構成されている。このとき、足置き板材７１ａは、床面１２（図１（ｂ）、図２（ｂ）参照）から座面２１までの高さの中間部に位置している。
なお、足置き本体７１Ａは、これらの２つの状態において、その回動が拘束されるように構成されている。  
【００２２】
続いて、第１実施形態による小児用着座補助装置１Ａの使用方法について説明する。
まず、小児用着座補助装置１Ａを使用する場合は、図１のように収納部４Ａに収納された着座補助部３Ａを、把持部３４Ａを把持して図２のように座席２側へスライドさせる。このとき、着座補助部３Ａが前方へ段階的に移動するため、所定の前後方向の位置において着座補助部３Ａを停止させる。なお、着座補助部３Ａの前後方向の位置については後述する。
続いて、ロック機構６Ａ（図２（ｂ）参照）によって着座補助部３Ａの位置を固定する。
また、着座補助部３Ａの座席２側への設置と前後して、足置き本体７１Ａを回動させて、足置き板材７１ａを脚部２３の前端部２３ａから突出させる。
【００２３】
そして、この状態において、着座補助部３Ａより前方の座面２１に子供１１（図２（ｂ）参照）が着座すると、着座補助部３Ａの前板３２と子供１１の背中が当接し、着座した子供１１が着座補助部３Ａの前板３２を背もたれとして使用することができるとともに、足置き板材７１ａに足を置くことができる。
ここで、着座補助部３Ａの前板３２が背もたれとして使用されるため、着座補助部３Ａの前後方向の位置は、座席２に着座する子供１１の体格に合わせて、子供１１の背中が前板３２と当接可能な位置に設定することが好ましい。
【００２４】
次に、小児用着座補助装置１Ａを使用しない場合は、図２のような状態の着座補助部３Ａのロック機構６Ａ（図２（ｂ）参照）を解除し、着座補助部３Ａを後方に押してスライドさせる。なお、着座補助部３Ａを後方に押す場合は、把持部３４Ａを把持せずに、着座補助部３Ａの前板３２などを直接押してもよい。
そして、図１に示すように、着座補助部３Ａの前板３２の前面３２ａが背もたれ２２の前面２２ａと略面一となるように、着座補助部３Ａを収納部４Ａへ収納する。なお、ロック機構６Ａに、収納部４Ａへ収納された着座補助部３Ａの移動を拘束するロックする機構が設けられていて、収納部４Ａへ収納された着座補助部３Ａの移動をロックしてもよい。
また、着座補助部３Ａの収納部４Ａへの収納と前後して、足置き本体７１Ａは支持部７２Ａを中心に回動させて、座席２の下方に収納する。
【００２５】
このようにすることにより、座面２１には、着座補助部３Ａが設置されていないとともに、脚部２３の前端部２３ａから足置き板材７１ａが突出していない状態となるため、座席２に大人が着座することができる。
【００２６】
次に、上述した第１実施形態による小児用着座補助装置１Ａの作用・効果について図面を用いて説明する。
第１実施形態による小児用着座補助装置１Ａによれば、座席２側に着座補助部３Ａが設置された状態において、着座補助部３Ａの前側に着座した子供１１が、その背中を着座補助部３Ａの前板３２と当接させることができるため、着座補助部３Ａを背もたれとして使用することができる。
これにより、子供１１が背中を背もたれ２２に当接させた状態で着座することができるため、安定した状態で座席２に座ることができる。
また、着座補助部３Ａは、背もたれ２２の後方に収納可能であることにより、従来のように不使用時に着座補助部３Ａを取り外して座席２と離れた場所に収納する場合と比べて、着座補助部３Ａの設置と収納を容易に行うことができる。
【００２７】
また、着座補助部３Ａの前側に着座した子供１１が、足を足置き板材７１ａに置くことができるため、より安定した状態で座席２に座ることができる。
また、足置き本体７１Ａは、座面２１の下方に収納可能であることにより、足置き本体７１Ａの設置と収納を容易に行うことができる。
また、着座補助部３Ａは、背もたれ２２の前面２２ａから段階的に突出し、各段階において位置を固定可能であることにより、着座する子供１１の体格に合わせて着座補助部３Ａの背もたれとなる前板３２の位置を調整することができるため、子供１１が安定した状態で着座することができる。
【００２８】
（第２実施形態）
次に、他の実施形態について、添付図面に基づいて説明するが、上述の第１実施形態と同一又は同様な部材、部分には同一の符号を用いて説明を省略し、第１実施形態と異なる構成について説明する。
図３および図４に示すように、第２実施形態による小児用着座補助装置１Ｂは、着座補助部３Ｂが、座席２の下方に設けられた収納部４Ｂに収納可能で、移動機構５Ｂ（図３（ｂ）、図４（ｂ）参照）が、着座補助部３Ｂを上下方向にスライドさせるように構成されている。第２実施形態では、着座補助部３Ｂを収納部４Ｂから引き上げて座席２側へ設置するように構成されている。
【００２９】
図３に示すように、着座補助部３Ｂは、収納部４Ｂに収納されると、上板３３の上面３３ａの高さが、座面２１と略同じ高さとなるように構成されている。
また、図４に示すように、着座補助部３Ｂは、座席２側に設置されると、前板３２の前面３２ａの前後方向の位置が、背もたれ２２の前面２２ａと座面の２１の前端部２１ａとの間の位置となるとともに、上板３３の上面３３ａの高さが、背もたれ２２の高さの中間部の高さとなるように構成されている。
また、第２実施形態では、把持部３４Ｂが着座補助部３Ｂの上板３３に設けられていて、把持部３４Ｂを把持して着座補助部３Ｂを収納部４Ｂから座席２側へ引き上げるように構成されている。
【００３０】
なお、第２実施形態では、移動機構５Ｂ（図３（ｂ）、図４（ｂ）参照）は、着座補助部３Ｂを上下方向に段階的に移動させるようには構成されておらず、着座補助部３Ｂが座席２側に設置された際の高さは１つの高さに決定されている。
【００３１】
また、第２実施形態では、足置き部７Ｂは、断面形状が略直線状の板材で構成された足置き本体７１Ｂと、足置き本体７１Ｂを座面２１の下方と脚部２３の前方との間で前後方向にスライド可能に支持する支持部７２Ｂと、を備えている。
足置き本体７１Ｂは、その面が上下方向を向くように支持されていて、脚部２３の前端部２３ａから突出するように前方に移動させて、その上面に足を置くことができるように構成されている。なお、足置き本体７１Ｂは、床面１２（図３（ｂ）、図４（ｂ）参照）から座面２１までの高さの中間部に位置している。
【００３２】
続いて、第２実施形態による小児用着座補助装置１Ｂの使用方法について説明する。
まず、小児用着座補助装置１Ｂを使用する場合は、図３のように収納部４Ｂに収納された着座補助部３Ｂを、把持部３４Ｂを把持して上方へ引き上げて図４のように座席２側に配置する。続いて、ロック機構６Ｂ（図４（ｂ）参照）によって着座補助部３Ｂの位置を固定する。
また、着座補助部３Ｂの座席２側への設置と前後して、足置き本体７１Ｂを座席２の脚部２３の前方へ移動させて、脚部２３の前端部２３ａから突出させる。
【００３３】
そして、この状態において、着座補助部３Ｂより前方の座面２１に子供１１（図４（ｂ）参照）が着座すると、第１実施形態と同様に、着座補助部３Ｂの前板３２と子供１１の背中が当接し、着座した子供１１が着座補助部３Ｂの前板３２を背もたれとして使用することができるとともに、足置き本体７１Ｂに足を置くことができる。
【００３４】
次に、小児用着座補助装置１Ｂを使用しない場合は、図４の状態の着座補助部３Ｂのロック機構６Ｂ（図４（ｂ）参照）を解除し、着座補助部３Ｂを下方に押してスライドさせる。なお、着座補助部３Ｂを下方に押す場合は、把持部３４Ｂを把持してもよいし、着座補助部３Ｂの上板３３などを直接押してもよい。
そして、図３に示すように、着座補助部３Ｂの上板３３の上面３３ａが、座面２１と略面一となるようにして着座補助部３Ｂを収納部４Ｂへ収納する。また、着座補助部３Ｂの収納部４Ｂへの収納と前後して、足置き本体７１Ｂを座席２の脚部２３の内部へ移動させて、座面２１の下方に収納する。
【００３５】
このようにすることにより、座面２１には、着座補助部３Ｂが設置されていないとともに、脚部２３の前端部２３ａから足置き本体７１Ｂが突出していない状態となるため、座席２に大人が着座することができる。
【００３６】
第２実施形態による小児用着座補助装置１Ｂでは、上記の第１実施形態による小児用着座補助装置１Ａと同様の効果を奏する。
また、座席２の後方に第１実施形態のような収納部４Ａを設けるスペースがない場合でも、座席２の下方に収納部４Ｂを設けることができる。
【００３７】
（第３実施形態）
図５および図６に示すように第３実施形態による小児用着座補助装置１Ｃは、第１実施形態による小児用着座補助装置１Ａの着座補助部３Ａの上板３３の上面３３ａに子供１１（図６（ｂ）参照）が着座するように構成されている。
そして、第３実施形態では、着座補助部３Ａの上板３３の上面３３ａに着座した子供１１が、足を座面２１に置くことができるように、着座補助部３Ａの上板３３の上面３３ａの高さが設定されている。
このため、第３実施形態は、第１実施形態および第２実施形態のような足置き部７Ａ，    ７Ｂが設けられていない構成である。
【００３８】
第３実施形態による小児用着座補助装置１Ｃでは、着座補助部３Ａの上板３３の上面３３ａに着座した子供１１が、その背中が背もたれ２２と当接するため、背もたれ２２を使用することができるとともに、足を座面２１に置くことができるため、第１実施形態による小児用着座補助装置１Ａと同様に、安定した状態で座席２に座ることができる。
ここで、着座補助部３Ａの前後方向の位置は、着座補助部３Ａの上板３３の上面３３ａに座席２に着座する子供１１の体格に合わせて、子供１１の背中が背もたれ２２と当接可能な位置に設定することが好ましい。
【００３９】
（第４実施形態）
図７および図８に示すように第４実施形態による小児用着座補助装置１Ｄは、第２実施形態による小児用着座補助装置１Ｂの着座補助部３Ｂの上板３３の上面３３ａに子供１１（図８（ｂ）参照）が着座するように構成されている。
そして、第４実施形態では、第３実施形態と同様に、着座補助部３Ｂの上板３３の上面３３ａに着座した子供１１が、足を座面２１に置くことができるように、着座補助部３Ｂの上板３３の上面３３ａの高さが設定されていて、第１実施形態および第２実施形態のような足置き部７Ａ，７Ｂが設けられていない構成である。
また、第４実施形態では、図７（ｂ）および図８（ｂ）に示す移動機構５Ｄは、着座補助部３Ｂを上下方向に段階的に移動可能に構成されている。そして、ロック機構６Ｄは、段階的に移動する着座補助部３Ｂを、各段階においてその移動を拘束可能に構成されている。
【００４０】
第４実施形態による小児用着座補助装置１Ｄでは、着座補助部３Ｂの上板３３の上面３３ａに着座した子供１１が、その背中が背もたれ２２と当接するため、背もたれ２２を使用することができるとともに、足を座面２１に置くことができるため、第１実施形態による小児用着座補助装置１Ａと同様に、安定した状態で座席２に座ることができる。
ここで、着座補助部３Ｂの高さは、着座補助部３Ｂの上板３３の上面３３ａに座席２に着座する子供１１の体格に合わせて、子供１１の足が座面２１に届く高さに設定することが好ましい。
【００４１】
以上、本発明による小児用着座補助装置１Ａ〜１Ｄの実施形態について説明したが、本発明は上記の実施形態に限定されるものではなく、その趣旨を逸脱しない範囲で適宜変更可能である。
例えば、上記の実施形態では、座席２は、鉄道車両のロングシートとしているが、クロスシート（横座席２）としてもよい。
また、上記の実施形態では、着座補助部３Ａ，３Ｂに布製または革製のベルトによる把持部３４Ａ，３４Ｂが設けられているが、把持部３４Ａ，３４Ｂの材料や形状は任意に設定されてよい。
【００４２】
また、上記の実施形態では、移動機構５Ａ，５Ｂ，５Ｄは、着座補助部３Ａ，３Ｂの座席２側と収納部４Ａ，４Ｂとの移動をガイドするレールなどで構成されているが、着座補助部３Ａ，３Ｂの座席２側と収納部４Ａ，４Ｂとの移動を行うことができれば、これ以外の構成としてもよい。
また、上記の実施形態では、移動機構５Ａ，５Ｄは、着座補助部３Ａ，３Ｂを段階的に移動させているが、段階的に移動させなくてもよい。
また、上記の実施形態では、ロック機構６Ａ，６Ｂ，６Ｄは、座席２側に設置された着座補助部３Ａ，３Ｂの移動の拘束を解除するボタンを備えているが、このようなボタンを設けずに、着座補助部３Ａ，３Ｂの移動の拘束を解除できる構成としてもよい。また、ロック機構６Ａ，６Ｂ，６Ｄは、必要に応じて設けられていればよい。
【００４３】
また、上記の第１実施形態および第２実施形態では、足置き部７Ａ，７Ｂが設けられているが、設けられていなくてもよい。また、第１実施形態による小児用着座補助装置１Ａに、第２実施形態のような足置き部７Ｂが設けられていてもよいし、第２実施形態による小児用着座補助装置１Ｂに第１実施形態のような足置き部７Ａが設けられていてもよい。
【符号の説明】
【００４４】
１Ａ〜１Ｄ  小児用着座補助装置（鉄道車両の小児用着座補助装置）
２  座席
３Ａ，３Ｂ  着座補助部
４Ａ，４Ｂ  収納部
５Ａ，５Ｂ，５Ｄ  移動機構
７Ａ，７Ｂ  足置き部
１１  子供
１２  床面
２１  座面
２２  背もたれ
３２  前板
３２ａ  前面
３３  上板
３３ａ  上面
【図１】
2015166203.tif 000003
【図２】
2015166203.tif 000004
【図３】
2015166203.tif 000005
【図４】
2015166203.tif 000006
【図５】
2015166203.tif 000007
【図６】
2015166203.tif 000008
【図７】
2015166203.tif 000009
【図８】
2015166203.tif 000010